(57)【特許請求の範囲】
【請求項１】
シートを排出するシート排出装置において、
排出されたシートが載置される第１排紙トレイと、
前記第１排紙トレイにシートを排出する第１排紙ローラと、
排出されたシートが載置される第２排紙トレイであって、前記第１排紙トレイより鉛直方向上側に設けられる第２排紙トレイと、
前記第２排紙トレイにシートを排出する第２排紙ローラと、
前記第２排紙トレイのうち前記第１排紙トレイに面する下面に設けられた一対のガイド部であって、当該シートの幅方向両端側に接触して当該接触部位をシート排出方向より鉛直方向下方側に転向させる一対のガイド部とを備え、
前記第１排紙ローラにより排出されるシートの排出方向と直交する水平方向を幅方向としたとき、前記一対のガイド部は、排出方向中間部より当該排出方向前進側、かつ、幅方向両端側に設けられ、
前記第２排紙トレイの下面側は、前記第１排紙ローラ側に位置する第１傾斜面、及び当該第１傾斜面よりシート排出方向前進側に位置する第２傾斜面を有しており、
水平面に対する前記第２傾斜面の傾斜角度は、水平面に対する前記第１傾斜面の傾斜角度より小さく、
前記第１排紙トレイの鉛直方向上面は、前記第１排紙ローラ側に位置する第１載置面、及び当該第１載置面よりシート排出方向前進側に位置する第２載置面を有しており、
水平面に対する前記第２載置面の傾斜角度は、水平面に対する前記第１載置面の傾斜角度より小さく、
前記第２載置面の鉛直方向上側には、前記第２傾斜面の少なくとも一部が位置し、
前記一対のガイド部は、前記第２傾斜面に設けられていることを特徴とするシート排出装置。
【請求項２】
前記一対のガイド部のうちシートと接触する部位は面状であることを特徴とする請求項１に記載のシート排出装置。
【請求項３】
前記一対のガイド部のうちシートと接触する部位と水平方向とのなす角は、０度以上、４５度以下であることを特徴とする請求項１又は請求項２に記載のシート排出装置。
【請求項４】
前記第１排紙ローラより排出方向前進側に設けられ、シートに接触して変位するアクチュエータであって、前記第１排紙トレイに載置されたシートが所定枚数となったか否かを少なくとも検知するためのアクチュエータを備え、
前記幅方向に平行な仮想鉛直面に投影された前記アクチュエータは、当該仮想鉛直面に投影された一対のガイド部間に位置することを特徴とする請求項１ないし３のいずれか１項に記載のシート排出装置。
【請求項５】
前記第１排紙ローラは、シートに接触して回転する複数のローラ部、及びそれらローラ部を支持する支持シャフトを有し、
仮想水平面に投影された前記複数のローラ部を投影ローラ部とし、当該仮想水平面に投影された前記一対のガイド部を投影ガイド部としたとき、
仮想鉛直面に投影された前記一対の投影ガイド部それぞれの少なくとも一部は、当該仮想鉛直面に投影された前記投影ローラ部のうちいずれかと重なることを特徴とする請求項１ないし４のいずれか１項に記載のシート排出装置。
【請求項６】
前記第１排紙ローラのシート搬送方向下流側には、排紙されたシートを押さえる押さえ部材が配置されており、
前記押さえ部材は、前記一対のガイド部のいずれか一方と幅方向において同じ位置に配置されている
ことを特徴とする請求項１ないし５のいずれか１項に記載のシート排出装置。
【請求項７】
Ａ６サイズシートの長辺寸法をＡ６寸法としたとき、前記第１載置面と前記第２載置面との境界部は、前記第１排紙トレイのうち排出方向後端から排出方向前進側にＡ６寸法ずれた位置より排出方向前進側に位置することを特徴とする請求項１ないし６のいずれか１項に記載のシート排出装置。
【発明の詳細な説明】
【技術分野】
【０００１】
本発明は、シートを排出するシート排出装置に関する。
【背景技術】
【０００２】
例えば、特許文献１に記載のシート排出装置では、複数の排紙トレイが鉛直方向に並んで配設されているとともに、それら複数の排紙トレイがケーシング等の支持部に着脱自在に装着されている。
【先行技術文献】
【特許文献】
【０００３】
【特許文献１】特開平１１−２２８０１３号公報
【発明の概要】
【発明が解決しようとする課題】
【０００４】
画像が形成されたシートが排紙トレイに向けて排出される際、当該シートに「筒カール」が発生する場合がある。筒カールとは、シートの幅方向両端側が跳ね上がるように、当該シートが排出方向に延びる樋状に湾曲した状態をいう。
【０００５】
そして、先行して排出されたシート（以下、先行シートという。）に、仮に筒カールが発生すると、次に排出されるシートは、先行シートの上に落下することなく、先行シートの排出方向後端に衝突してしまう。このため、当該先行シートが排紙トレイ外に押し出されてしまい、シートの積載性が低下する。
【０００６】
本発明は、上記点に鑑み、仮に、先行シートに筒カールが発生した場合であっても、シートの積載性が低下することを抑制することを目的とする。
【課題を解決するための手段】
【０００７】
本願では、排出されたシートが載置される第１排紙トレイ（１１）と、第１排紙トレイ（１１）にシートを排出する第１排紙ローラ（２１）と、排出されたシートが載置される第２排紙トレイ（１２）であって、第１排紙トレイより鉛直方向上側に設けられる第２排紙トレイ（１２）と、第２排紙トレイ（１２）にシートを排出する第２排紙ローラ（２２）と、第２排紙トレイ（１２）のうち第１排紙トレイ（１１）に面する下面（３０）に設けられた一対のガイド部（３１）であって、当該シートの幅方向両端側に接触して当該接触部位をシート排出方向より鉛直方向下方側に転向させる一対のガイド部（３１）とを備え、第１排紙ローラ（２１）により排出されるシートの排出方向と直交する水平方向を幅方向としたとき、一対のガイド部（３１）は、排出方向中間部より当該排出方向前進側、かつ、幅方向両端側に設けられている。
【０００８】
これにより、本発明では、排出されるシートに筒カールが発生した場合であっても、跳ね上がった当該シートの幅方向両端側が、一対のガイド部（３１）によって強制的に鉛直方向下方側に転向させられるので、樋状（筒状）に湾曲したシートを矯正することができ得る。したがって、先行シートに筒カールが発生した場合であっても、シートの積載性が低下することを抑制でき得る。
【０００９】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１０】
【図１】本発明の実施形態に係るシート排出装置１０が装着された画像形成装置１の斜視図である。
【図２】シート排出装置１０の断面図である。
【図３】シート排出装置１０の断面図である。
【図４】第２排紙トレイ１２の下面３０側の斜視図である。
【図５】シート排出装置１０の断面図である。
【図６】第２排紙トレイ１２の下面３０側を示す図である。
【図７】Ａ及びＢは発明の作用効果の説明図である。
【図８】Ａ及びＢは発明の作用効果の説明図である。
【図９】Ａ及びＢは発明の作用効果の説明図である。
【発明を実施するための形態】
【００１１】
以下に説明する「発明の実施形態」は実施形態の一例を示すものである。つまり、特許請求の範囲に記載された発明特定事項等は、下記の実施形態に示された具体的手段や構造等に限定されるものではない。
【００１２】
本実施形態は、画像形成装置用のシート排出装置に本発明を適用したものである。以下、図１に示すように、シート排出装置１０が組み付けられた画像形成装置１を単に「画像形成装置」ともいう。
【００１３】
各図に付された方向を示す矢印等は、各図相互の関係を理解し易くするために記載したものである。本発明は、各図に付された方向に限定されるものではない。少なくとも符号を付して説明した部材又は部位は、「複数」や「２つ以上」等の断りをした場合を除き、少なくとも１つ設けられている。以下、本発明の実施形態を図面と共に説明する。
【００１４】
（第１実施形態）
１．画像形成装置の概要（図１参照）
本実施形態に係るシート排出装置１０は、画像形成装置１のうち排紙口２の鉛直方向上方側に組み付けられる。画像形成装置１内には、画像形成部（図示せず。）が収納されている。画像形成部はシートに画像を形成する。筐体３は当該画像形成部を収納する。
【００１５】
筐体３の鉛直方向上面側には排紙トレイ３Ａが設けられている。排紙トレイ３Ａには、画像が形成されたシートが載置される。なお、排紙トレイ３Ａは、シート排出装置１０が作動しない場合にシートが排出される部位である。シート排出装置１０が作動する場合には、複数の排紙トレイ１１〜１４のうち少なくとも１つの排紙トレイにシートが排出される。
【００１６】
２．シート排出装置
２．１  シート排出装置の概要
シート排出装置１０は、図１に示すように、複数の排紙トレイ１１〜１４を有する。そして、シート排出装置１０は、予め利用者により設定された排出設定に従って、複数の排紙トレイ１１〜１４のうちいずれかの排紙トレイにシートを排出する。
【００１７】
各排紙トレイ１１〜１４は、排出されたシートを１枚以上載置可能である。各排紙トレイ１１〜１４は、鉛直方向に並んだ状態で支持部１５に組み付けられている。なお、排出されたシートは、各排紙トレイ１１〜１４の鉛直方向上面に載置されていく。
【００１８】
以下、各排紙トレイ１１〜１４のうち、鉛直方向最下部の排紙トレイを第１排紙トレイ
１１という。第１排紙トレイ１１の鉛直方向上側に位置する排紙トレイを第２排紙トレイ１２という。
【００１９】
第２排紙トレイ１２の鉛直方向上側に位置する排紙トレイを第３排紙トレイ１３という。第３排紙トレイ１３の鉛直方向上側に位置する排紙トレイを第４排紙トレイ１４という。
【００２０】
少なくとも第２排紙トレイ１２及び第４排紙トレイ１４は、支持部１５に対して着脱自在に支持部１５に組み付けられている。つまり、利用者は、第２排紙トレイ１２及び第４排紙トレイ１４を支持部１５に対して着脱できる。
【００２１】
本実施形態では、第１排紙トレイ１１及び第３排紙トレイ１３は、第２排紙トレイ１２及び第４排紙トレイ１４に比べて着脱性が低い構造となっている。なお、第２排紙トレイ１２及び第４排紙トレイ１４が支持部１５から取り外された状態を「スタッカーモード状態」ともいう。
【００２２】
支持部１５には、図２に示すように、画像形成部から排出されたシート、つまり画像が形成されたシートを各排紙トレイ１１〜１４に向けて排出する複数の排出部１１Ａ〜１４Ａが設けられている。各排出部１１Ａ〜１４Ａは、複数の排紙トレイ１１〜１４に対応するように、鉛直方向に並んで設けられている。
【００２３】
排出部１１Ａ（以下、第１排出部１１Ａという。）は、第１排紙トレイ１１の鉛直方向上面部に向けて開口している。排出部１２Ａ（以下、第２排出部１２Ａという。）は、第２排紙トレイ１２の鉛直方向上面部に向けて開口している。
【００２４】
排出部１３Ａ（以下、第３排出部１３Ａという。）は、第３排紙トレイ１３の鉛直方向上面部に向けて開口している。排出部１４Ａ（以下、第４排出部１４Ａという。）は、第４排紙トレイ１４の鉛直方向上面部に向けて開口している。
【００２５】
第１排出部１１Ａには、図３に示すように、上側ローラ２１Ａ及び下側ローラ２１Ｂを有する第１排紙ローラ２１が設けられている。第２排出部１２Ａには、上側ローラ２２Ａ及び下側ローラ２２Ｂを有する第２排紙ローラ２２が設けられている。
【００２６】
第３排出部１３Ａには、上側ローラ２３Ａ及び下側ローラ２３Ｂを有する第３排紙ローラ２３が設けられている。第４排出部１４Ａには、上側ローラ２４Ａ及び下側ローラ２４Ｂを有する第４排紙ローラ２４が設けられている。
【００２７】
２．２  各排紙トレイの構造
複数の排紙トレイ１１〜１４のうち、少なくとも第２排紙トレイ１２〜第４排紙トレイ１４は同一構造である。なお、第１排紙トレイ１１と第２排紙トレイ１２〜第４排紙トレイ１４とは、ガイド部３１及び平面部５Ｄの有無のみが相違し、他の構造は同一である。
【００２８】
以下、第２排紙トレイ１２を例に本実施形態に係る各排紙トレイ１１〜１４の構造を説明する。
第２排紙トレイ１２のうち第１排紙トレイ１１に面する下面３０には、図４に示すように、第１ガイド部３１Ａ及び第２ガイド部３１Ｂ（以下、総称する際には、ガイド部３１と記す。）が設けられている。
【００２９】
第１ガイド部３１Ａは、下面３０のうち排出方向中間部より排出方向前進側であって、幅方向一端側（図４では右端側）に設けられている。第２ガイド部３１Ｂは、下面３０の
うち排出方向中間部より排出方向前進側であって、幅方向他端側（図４では左端側）に設けられている。
【００３０】
幅方向とは、第１排紙ローラ２１により排出されるシートの排出方向と直交する水平方向をいう。排紙方向中間部とは、排紙トレイ１１〜１４における排紙方向に沿う長さを三等分したときに中間部に相当する部分である。
【００３１】
第１ガイド部３１Ａは、第１排紙ローラ２１により排出されるシートの幅方向一端側に接触して当該接触部位を排出方向より鉛直方向下方側に転向させる。第２ガイド部３１Ｂは、第１排紙ローラ２１により排出されるシートの幅方向一端側に接触して当該接触部位を排出方向より鉛直方向下方側に転向させる。
【００３２】
第２排紙トレイ１２の下面３０は、図５に示すように、第１傾斜面３０Ａ及び第２傾斜面３０Ｂを有する。第１傾斜面３０Ａ及び第２傾斜面３０Ｂは、互いに排出方向に隣接して並んでいる。
【００３３】
第１傾斜面３０Ａは第１排紙ローラ２１側に位置する。第２傾斜面３０Ｂは、第１傾斜面３０Ａよりシート排出方向前進側に位置する。水平面に対する第２傾斜面３０Ｂの傾斜角度θ２（約１０°）は、水平面に対する第１傾斜面３０Ａの傾斜角度θ１（約２６°）より小さい。
【００３４】
第１排紙トレイ１１の鉛直方向上面４０は、第１載置面４０Ａ及び第２載置面４０Ｂを有する。第１載置面４０Ａ及び第２載置面４０Ｂは、互いに排出方向に隣接して並んでいる。
【００３５】
第１載置面４０Ａは、第１排紙ローラ２１側に位置する。第２載置面４０Ｂは第１載置面４０Ａよりシート排出方向前進側に位置する。水平面に対する第２載置面４０Ｂの傾斜角度Θ２（約１０°）は、水平面に対する第１載置面４０Ａの傾斜角度Θ１（約２６°）より小さい。
【００３６】
第２載置面４０Ｂの鉛直方向上方側には、第２傾斜面３０Ｂの少なくとも一部が位置している。つまり、各排紙トレイの載置面（第１載置面４０Ａ及び第２載置面４０Ｂ）と各排紙トレイの下面（第１傾斜面３０Ａ及び第２傾斜面３０Ｂ）は略相似形状となっている。
【００３７】
ガイド部３１のうちシートと接触する部位３１Ｃは平面状である。ガイド部３１は、第２傾斜面３０Ｂに設けられている。なお、当該シートと接触する部位３１Ｃと水平方向とのなす角θ３は、０度以上、４５度以下である。
【００３８】
ガイド部３１より排出方向先端側には平行部３１Ｄが設けられている。平行部３１Ｄは、ガイド部３１から連接して第２排紙トレイ１２の先端側に延びる平面であって、第２載置面４０Ｂと平行な平面である。
【００３９】
なお、第１排紙トレイ１１と第２排紙トレイ１２とは、ガイド部３１及び平面部５Ｄの有無のみが相違し、他の構造は同一である。このため、第２排紙トレイ１２の上面（載置面）と下面とは略相似形状となる。
【００４０】
つまり、第１排紙トレイ１１〜第４排紙トレイ１４はいずれも、排出方向中間部において屈曲している。このため、利用者が、第１排紙トレイ１１〜第４排紙トレイ１４を幅方向から見ると、それら排紙トレイ１１〜１４は略「へ」又は「Ｌ」の字状（以下、総称す
るときは「へ」の字状という。）に見える。
【００４１】
そして、第１排紙トレイ１１等の屈曲部、つまり、第１載置面４０Ａと第２載置面４０Ｂとの境界部１１Ｂ、１２Ｂ、１３Ｂ、１４Ｂは、図５に示すように第１排紙トレイ１１のうち排出方向後端から排出方向前進側にＡ６寸法分だけずれた位置より排出方向前進側に位置する。「Ａ６寸法」とは、Ａ６サイズシートの長辺寸法をいう。
【００４２】
第１排紙ローラ２１より排出方向前進側には、図３に示すように、シートに接触して変位するアクチュエータ５０が設けられている。アクチュエータ５０は、第１排紙トレイ１１に載置されたシートが所定枚数（満載）となったか否かを少なくとも検知するため可動体である。
【００４３】
つまり、アクチュエータ５０が揺動すると、これに応じた信号が出力される。シート排出装置１０又は画像形成装置１の制御部（図示せず。）は、当該信号を利用してシートが満載状態となったか否かを検知する。
【００４４】
本実施形態に係るアクチュエータ５０は、シートが第１排紙トレイ１１に排出されたか否か、つまりシートの有無も検知可能である。なお、第１用紙押さえ５１は、排出されたシートの幅方向両端を鉛直方向可能側に押圧する。このため、第１用紙押さえ５１は、図４に示すように、第１排紙トレイ１１の幅方向両端側それぞれに設けられている。
【００４５】
そして、幅方向に平行な仮想鉛直面に投影されたアクチュエータ５０は、当該仮想鉛直面に投影された一対のガイド部３１間に位置する。つまり、図６に示すように、第１ガイド部３１Ａから排出方向に延びる仮想線Ｌ１と第２ガイド部３１Ｂから排出方向に延びる仮想線Ｌ２との間にアクチュエータ５０が存在する。
【００４６】
第１排紙ローラ２１は、シートに接触して回転する複数のローラ部２１Ｃ、２１Ｄ、及びそれらローラ部２１Ｃ、２１Ｄを支持する支持シャフト２１Ｅ、２１Ｆを有している。
そして、仮想水平面に投影された複数のローラ部２１Ｃ、２１Ｄを投影ローラ部とし、当該仮想水平面に投影された前記一対のガイド部３１を投影ガイド部としたとき、仮想鉛直面に投影された一対の投影ガイド部それぞれの少なくとも一部は、仮想鉛直面に投影された投影ローラ部のうちいずれかと重なる。
【００４７】
つまり、図６に示すように、複数のローラ部２１Ｃ、２１Ｄのうち少なくとも一部は、第１ガイド部３１Ａから排出方向に延びる仮想線Ｌ１と仮想線Ｌ２との間、又は第２ガイド部３１Ｂから排出方向に延びる仮想線Ｌ２と仮想線Ｌ４の間に位置する。換言すれば、複数のローラ部２１Ｃ、２１Ｄのうち少なくとも一部は、第１ガイド部３１Ａと幅方向において同じ位置に配されている。
【００４８】
４．本実施形態に係る画像形成装置（特に、シート排出装置）の特徴
本実施形態では、第２排紙トレイ１２のうち第１排紙トレイ１１に面する下面３０には、一対のガイド部３１が設けられている。一対のガイド部３１は、シートの幅方向両端側に接触して当該接触部位をシート排出方向より鉛直方向下方側に転向させる。そして、当該一対のガイド部３１は、排出方向中間部より当該排出方向前進側、かつ、幅方向両端側に設けられている。
【００４９】
これにより、本実施形態では、排出されるシートに筒カールが発生した場合であっても、跳ね上がった当該シートの幅方向両端側が、一対のガイド部３１によって強制的に鉛直方向下方側に転向させられるので、樋状（筒状）に湾曲したシートを矯正することができ得る。したがって、先行シートに筒カールが発生した場合であっても、シートの積載性が
低下することを抑制でき得る。
【００５０】
すなわち、シートＳは、図７Ａ及び図７Ｂに示すように、その幅方向両端部ＳＡ、ＳＢが鉛直方向上方側に持ち上がるように筒カールしたシートが、例えば第１排出部１１から排出された場合において、シートＳが搬送方向下流側に搬送されると、図８Ａ及び図８Ｂに示すように、シートＳの両端部ＳＡ、ＳＢとが第１ガイド部３１Ａ及び第２ガイド部３１Ｂと接触する。
【００５１】
第１ガイド部３１Ａ及び第２ガイド部３１Ｂは、境界部１２Ｂ、１３Ｂ、１４Ｂよりもシートの搬送方向下流側に設けられている。つまり、各排紙トレイの第１載置面４０Ａに沿って排紙されたシートは、各排紙トレイ１２〜１４の下面の第１傾斜面４０Ｂより傾斜角度の小さい第２傾斜面３０Ｂに設けられた第１ガイド部３１Ａ及び第２ガイド部３１Ｂに上から押さえ付けられるようになる。
【００５２】
このとき、両端部ＳＡ、ＳＢは、図８Ｂに示すように、一対のガイド部３１により鉛直方向下側へ押さえ付けられるため、シートＳに発生した筒カールの曲げ度合いが減少する。さらにシートＳが排出方向下流側に進行すると、図９Ａ及び図９Ｂに示すように、一対のガイド部３１によって鉛直方向下側に押さえ付けられたシートは、筒カールの曲げ度合いが略無くなり、幅方向において略真っ直ぐな状態になる。
【００５３】
第１排紙トレイ１１は、第１載置面４０Ａと第２載置面４０Ｂとが境界部１１Ｂにおいて屈曲している。このため、第１排出部１１から排出されたシートＳは、境界部１１Ｂ近傍において屈曲した状態で第１排紙トレイ１１に載置される。つまり、当該第１排紙トレイ１１に載置されたシートＳを利用者が幅方向から見ると、境界部１１Ｂ近傍において「へ」の字状に折り曲げられた形状に見える。
【００５４】
屈曲した状態で第１排紙トレイ１１に載置されたシートＳは、境界部１１Ｂ近傍において幅方向に延びる折り曲げ線ＳＣ（図９Ａ参照）が発生するので、幅方向と直交する断面についての断面二次モーメントが大きくなり、いわゆる「コシをつけられたような状態」となる。
【００５５】
したがって、第１排紙トレイ１１に載置されたシートＳに残留した応力により当該シートＳを筒カール状に湾曲させる曲げモーメントが発生した場合であっても、上述したように断面二次モーメントが大きくなっているので、当該シートＳは元に戻らず筒カールが発生し難くなる。
【００５６】
つまり、第１排紙トレイ１１に排紙されたシートＳは、幅方向において略真っ直ぐな状態を維持することが可能となる。したがって、後続するシートもシートＳの両端部ＳＡに衝突することなく良好に排紙を行うことができる。
【００５７】
本実施形態では、一対のガイド部３１は、排紙トレイ１２〜１４の中間部に設けられた境界部１２Ｂ、１３Ｂ、１４Ｂよりもシート搬送方向下流側に設けられている。このため、排出されるシートは、その排出方向後端側が排紙ローラ２２〜２４に挟持され、かつ、排出方向先端側が一対のガイド部３１により第２載置面４０Ｂに向けて押さえ付けられる。
【００５８】
つまり、排出されたシートは、排紙ローラ２２〜２４により挟持された部位から離れた箇所にて鉛直方向下方に押し付けられる。したがって、筒カールを矯正するために当該シートの排出方向先端側を容易に鉛直方向下向きに転向させることができる。
【００５９】
本実施形態では、境界部１２Ｂ、１３Ｂ、１４Ｂよりも搬送方向下流側に第２載置面４０Ｂ及び第２傾斜面３０Ｂが設けられている。そして、排紙ローラ２２〜２４から排出されるシートの排出方向は、概ね、第１載置面４０Ａ又は第１傾斜面３０Ａと平行な方向である。
【００６０】
このとき、第２載置面４０Ｂ及び第２傾斜面３０Ｂの傾斜は、第１載置面４０Ａ及び第１傾斜面３０Ａよりも小さいので、排出されるシートの排出方向先端側が、その排出方向に対して一対のガイド部３１によって角度を持って上から押さえ付けける。したがって、更に押さえ付けの効果を発揮することが可能となる。
【００６１】
本実施形態では、一対のガイド部３１のうちシートと接触する部位は面状である。これにより、跳ね上がった当該シートの幅方向両端側と一対のガイド部３１とを確実に接触させることが可能となるので、筒カールを確実に矯正でき得る。
【００６２】
本実施形態では、幅方向に平行な仮想鉛直面に投影されたアクチュエータ５０は、当該仮想鉛直面に投影された一対のガイド部３１間に位置する。これにより、シートの排出を確実に検知でき得る。
【００６３】
さらに、第１用紙押さえ５１とガイド部３１とが幅方向において同じ位置に配されていることにより、筒カールが発生したシートの排出方向先端側と後端側の幅方向の同じ位置を同時に押さえることができるので、筒カールの矯正を確実にすることができる。
【００６４】
（その他の実施形態）
上述の実施形態に係るガイド部３１は平面状であったが、本発明はこれに限定されるものではなく、例えば、１本又は２本以上の突条にてガイド部３１を構成してもよい。
【００６５】
上述の実施形態では、第１載置面４０Ａと第２載置面４０Ｂとの境界部は、第１排紙トレイ１１のうち排出方向後端から排出方向前進側にＡ６寸法分だけずれた位置より排出方向前進側に位置していたが、本発明はこれに限定されるものではない。
【００６６】
上述の実施形態では、第１排紙トレイ１１と第２排紙トレイ１２〜第４排紙トレイ１４とは、ガイド部３１及び平面部５Ｄの有無のみが相違し、他の構造は同一であったが、本発明はこれに限定されるものではなく、全ての排紙トレイ１１〜１４を同一構造としてもよい。
【符号の説明】
【００６７】
１… 画像形成装置  ３… 筐体  ３Ａ… 排紙トレイ  ５Ｄ… 平面部
１０… シート排出装置  １１… 第１排紙トレイ  １２… 第２排紙トレイ
１５… 支持部  ２１Ａ… 上側ローラ  ２１… 第１排紙ローラ
３０Ａ… 第１傾斜面  ３０Ｂ… 第２傾斜面  ３１… ガイド部
３１Ａ… 第１ガイド部  ３１Ｂ… 第２ガイド部  ４０… 鉛直方向上面
４０Ａ… 第１載置面  ４０Ｂ… 第２載置面  ５０… アクチュエータ
【図１】
0006409657.tif 000002
【図２】
0006409657.tif 000003
【図３】
0006409657.tif 000004
【図４】
0006409657.tif 000005
【図５】
0006409657.tif 000006
【図６】
0006409657.tif 000007
【図７】
0006409657.tif 000008
【図８】
0006409657.tif 000009
【図９】
0006409657.tif 000010